(57)【特許請求の範囲】
【請求項１】
手持型機器のための筒型の付属品であって、壁部と、該壁部の一端における流体入口と、前記壁部を貫く流体出口とを有する本体を備え、前記流体出口は、前記壁部に沿って延びる少なくとも１つのスロットを含み、該少なくとも１つのスロットは、前記壁部の第１の端部と前記壁部の第２の端部の重なりによって形成される、
ことを特徴とする付属品。
【請求項２】
前記付属品の周囲において、流体流の方向に毛髪が巻き付く、
ことを特徴とする請求項１に記載の付属品。
【請求項３】
前記流体出口から放出された流体は、前記壁部の外面に引き付けられる、
ことを特徴とする請求項１又は２に記載の付属品。
【請求項４】
前記流体出口から放出された前記流体は、前記壁部の外面の周囲を流れる、
ことを特徴とする請求項１から３のいずれかに記載の付属品。
【請求項５】
前記壁部は、少なくとも２つのプレートで形成される、
ことを特徴とする請求項１から４のいずれかに記載の付属品。
【請求項６】
前記少なくとも２つのプレートのうちの第１のプレートは、前記壁部の前記第１の端部を含む、
ことを特徴とする請求項５に記載の付属品。
【請求項７】
前記少なくとも２つのプレートのうちの第２のプレートは、前記壁部の前記第２の端部を含む、
ことを特徴とする請求項５又は６に記載の付属品。
【請求項８】
前記少なくとも２つのプレートのうちの第１のプレートは、前記スロットの半径方向内側面を定める、
ことを特徴とする請求項６又は７に記載の付属品。
【請求項９】
前記少なくとも２つのプレートのうちの第２のプレートは、前記スロットの半径方向外側面を定める、
ことを特徴とする請求項７又は８に記載の付属品。
【請求項１０】
前記スロットは、前記壁部に正接する、
ことを特徴とする請求項１から９のいずれかに記載の付属品。
【請求項１１】
前記流体出口から流出した流体は、前記スロットの半径方向内側面に沿って流れる、
ことを特徴とする請求項１０に記載の付属品。
【請求項１２】
ｎ個のスロットと、ｎ個のプレートとを備える、
ことを特徴とする請求項１から１１のいずれかに記載の付属品。
【請求項１３】
前記壁部の前記第１の端部及び前記第２の端部の一方は、前記スロットの厚みを定めるスペーサを含む、
ことを特徴とする請求項１から１２のいずれかに記載の付属品。
【請求項１４】
手持型機器のための筒型の付属品であって、壁部と、該壁部の一端における流体入口と、前記壁部を貫く流体出口とを有する本体を備え、前記流体出口は、前記壁部に沿って延びる少なくとも１つのスロットを含み、該少なくとも１つのスロットは、前記壁部の第１の端部と前記壁部の第２の端部の重なりによって形成され、前記壁部の前記第１の端部及び前記第２の端部の一方は、前記スロットの厚みを定めるスペーサを含む、
ことを特徴とする付属品。
【請求項１５】
前記壁部の前記第２の端部は、前記スペーサを含む、
ことを特徴とする請求項１３又は１４に記載の付属品。
【請求項１６】
前記壁部に沿って、長手方向に離間して一対のスペーサが設けられる、
ことを特徴とする請求項１３から１５のいずれかに記載の付属品。
【請求項１７】
前記少なくとも１つのスロットは、前記壁部の周囲に螺旋構造として形成される、
ことを特徴とする請求項１から１６のいずれかに記載の付属品。
【請求項１８】
前記スロットは、前記付属品の長手方向に対し１°〜８９°の角度で配置される、
ことを特徴とする請求項１７に記載の付属品。
【請求項１９】
手持型機器のための筒型の付属品であって、壁部と、前記壁部の一端における流体入口と、前記壁部を貫く流体出口とを有する本体を備え、前記流体出口は、前記壁部に沿って延びる少なくとも１つのスロットを含み、該少なくとも１つのスロットは、前記壁部の第１の端部と前記壁部の第２の端部の重なりによって形成され、前記スロットは、前記付属品の長手方向に対し１°〜８９°の角度で配置される、
ことを特徴とする付属品。
【請求項２０】
前記スロットは、前記付属品の長手方向に対し３０°〜６０°の角度で配置される、
ことを特徴とする請求項１８又は１９に記載の付属品。
【請求項２１】
前記スロットは、前記付属品の長手方向に対し４５°の角度で配置される、
ことを特徴とする請求項１８又は１９に記載の付属品。
【請求項２２】
前記少なくとも１つのプレートは、材料で裏打ちされる、
ことを特徴とする請求項１から２１のいずれかに記載の付属品。
【請求項２３】
手持型機器であって、
流体入口から流体出口への流体流通路と、前記流体入口に流体を吸い込むためのファンユニットとを有するハンドルと、
前記ハンドルに接続するための筒型の付属品と、
を備え、前記付属品は、壁部と、前記付属品が前記ハンドルに取り付けられた時に前記ハンドルの前記流体出口と流体連通する、前記壁部の一端における流体入口と、前記壁部を貫く流体出口とを有する本体を備え、前記流体出口は、前記壁部に沿って延びる少なくとも１つのスロットを含み、該少なくとも１つのスロットは、前記壁部の第１の端部と前記壁部の第２の端部の重なりによって形成される、
ことを特徴とする機器。
【請求項２４】
前記付属品の周囲において、流体流の方向に毛髪が巻き付く、
ことを特徴とする請求項２３に記載の機器。
【請求項２５】
前記付属品の前記本体の直径は、前記ハンドルの直径と実質的に同じである、
ことを特徴とする請求項２３又は２４に記載の機器。
【請求項２６】
前記付属品の前記本体の直径は、前記ハンドルの直径と異なる、
ことを特徴とする請求項２３又は２４に記載の機器。
【請求項２７】
前記付属品の直径は、前記ハンドルの直径よりも小さい、
ことを特徴とする請求項２６に記載の機器。
【請求項２８】
前記付属品の直径は、前記ハンドルの直径よりも大きい、
ことを特徴とする請求項２６に記載の機器。
【請求項２９】
前記流体出口から放出された前記流体は、前記壁部の外面に引き付けられる、
ことを特徴とする請求項２３から２８のいずれかに記載の機器。
【請求項３０】
手持型機器であって、
流体入口から流体出口への流体流通路と、前記流体入口に流体を吸い込むためのファンユニットとを有するハンドルと、
前記ハンドルに接続するための筒型の付属品と、
を備え、前記付属品は、壁部と、前記付属品が前記ハンドルに取り付けられた時に前記ハンドルの前記流体出口と流体連通する、前記壁部の一端における流体入口と、前記壁部を貫く流体出口とを有する本体を備え、前記流体出口は、前記壁部に沿って延びる少なくとも１つのスロットを含み、該少なくとも１つのスロットは、前記壁部の第１の端部と前記壁部の第２の端部の重なりによって形成され、前記流体出口から放出された流体は、前記壁部の外面の周囲を流れる、
ことを特徴とする機器。
【請求項３１】
手持型機器であって、
流体入口から流体出口への流体流通路と、前記流体入口に流体を吸い込むためのファンユニットとを有するハンドルと、
前記ハンドルに接続するための筒型の付属品と、
を備え、前記付属品は、壁部と、前記付属品が前記ハンドルに取り付けられた時に前記ハンドルの前記流体出口と流体連通する、前記壁部の一端における流体入口と、前記壁部を貫く流体出口とを有する本体を備え、前記流体出口は、前記壁部に沿って延びる少なくとも１つのスロットを含み、該少なくとも１つのスロットは、前記壁部の第１の端部と前記壁部の第２の端部の重なりによって形成され、前記壁部の前記第１の端部及び前記第２の端部の一方は、前記スロットの厚みを定めるスペーサを含む、
ことを特徴とする機器。
【請求項３２】
手持型機器であって、
流体入口から流体出口への流体流通路と、前記流体入口に流体を吸い込むためのファンユニットとを有するハンドルと、
前記ハンドルに接続するための筒型の付属品と、
を備え、前記付属品は、壁部と、前記付属品が前記ハンドルに取り付けられた時に前記ハンドルの前記流体出口と流体連通する、前記壁部の一端における流体入口と、前記壁部を貫く流体出口とを有する本体を備え、前記流体出口は、前記壁部に沿って延びる少なくとも１つのスロットを含み、該少なくとも１つのスロットは、前記壁部の第１の端部と前記壁部の第２の端部の重なりによって形成され、前記スロットは、前記付属品の長手方向に対し１°〜８９°の角度で配置される、
ことを特徴とする機器。
【請求項３３】
前記機器はヘアケア機器である、
ことを特徴とする請求項３１から３２のいずれかに記載の機器。
【請求項３４】
前記機器は高温整髪ブラシである、
ことを特徴とする請求項３１から３２のいずれかに記載の機器。
【発明の詳細な説明】
【技術分野】
【０００１】
本発明は、手持型機器、特に高温整髪ブラシなどのヘアケア機器のための付属品に関する。
【背景技術】
【０００２】
従来の高温整髪ブラシでは、ファンユニットによって入口に空気が吸い込まれ、付属品又はヘッド部によって毛髪の方に向けられる。空気は、所望の髪形に応じて加熱されることも、又はされないこともある。多くの場合、ヘッド部又は付属品は剛毛を含み、この剛毛に毛髪を巻き付け保持して整髪を行う。空気は、一般にヘッド部又は付属品からヘッド部の表面に対して直角に吹き出る。
【発明の概要】
【課題を解決するための手段】
【０００３】
本発明は、手持型機器のための付属品を提供し、この付属品は、壁部と、壁部の一端における流体入口と、壁部を貫く流体出口とを有する本体を備え、流体出口は、壁部に沿って延びる少なくとも１つのスロットを含み、この少なくとも１つのスロットは、壁部の第１の端部と壁部の第２の端部の重なりによって形成される。
【０００４】
流体出口から放出された流体は、壁部の外面に引き付けられることが好ましい。流体出口から放出された流体は、壁部の外面の周囲を流れることが好ましい。
【０００５】
壁部は、少なくとも２つのプレートで形成されることが好ましい。少なくとも２つのプレートのうちの第１のプレートは、壁部の第１の端部を含むことが好ましい。少なくとも２つのプレートのうちの第２のプレートは、壁部の第２の端部を含むことが好ましい。少なくとも２つのプレートのうちの第１のプレートは、スロットの半径方向内側面を定めることが好ましい。少なくとも２つのプレートのうちの第２のプレートは、スロットの半径方向外側面を定めることが好ましい。
【０００６】
付属品は一般に管状であり、少なくとも２つのプレートが、管体に沿って長手方向に延びるともに、管体の周囲で半径方向に広がることが好ましい。スロットは、管体に沿って長手方向に延びることが好ましい。
【０００７】
スロットは、壁部に正接することが好ましい。流体出口から流出した流体は、スロットの半径方向内側面に沿って流れることが好ましい。スロットの半径方向内側面は、壁部の第１の端部と壁部の第２の端部の重なりの下流端に達した時に付属物の外面になる。流体は付属品の周囲を流れて、流体出口の一部を形成するいずれかのさらなるスロットから流出した流体と組み合わさる。
【０００８】
流体出口から流出した流体は、半径方向内側面の線をたどるように促されて付属品の周囲における流れを形成し、この流れが毛髪を付属品の方に引き寄せて、付属品の周囲で毛髪を流体流の方向に巻き付ける。
【０００９】
付属品は、ｎ個のスロットと、ｎ個のプレートとを備えることが好ましい。
【００１０】
壁部の第１の端部及び第２の端部の一方は、スロットの厚みを定めるスペーサを含むことが好ましい。
【００１１】
本発明の別の態様は、手持型機器のための付属品を提供し、この付属品は、壁部と、壁部の一端における流体入口と、壁部を貫く流体出口とを有する本体を備え、流体出口は、壁部に沿って延びる少なくとも１つのスロットを含み、この少なくとも１つのスロットは、壁部の第１の端部と壁部の第２の端部の重なりによって形成され、壁部の第１の端部及び第２の端部の一方は、スロットの厚みを定めるスペーサを含む。
【００１２】
壁部の第２の端部は、スペーサを含むことが好ましい。
【００１３】
壁部に沿って、長手方向に離間して一対のスペーサが設けられることが好ましい。
【００１４】
いずれかのスペーサが、２つの部品間にスロット又はスロットの厚みを形成する間隙を維持する。これらのスペーサは、全てが実質的に等しく、これによって付属品の周囲に均一な流れを生じることが有利である。
【００１５】
少なくとも１つのスロットは、壁部の周囲に螺旋構造として形成されることが好ましい。この螺旋構造は、流体流の方向に時計回りであることが好ましい。或いは、この螺旋構造は、流体流の方向に反時計回りである。スロットは、付属品の長手方向に対し１°〜８９°の角度で配置されることが好ましい。スロットは、付属品の長手方向に対し１０°〜７０°の角度で配置されることが好ましい。スロットは、付属品の長手方向に対し３０°〜６０°の角度で配置されることが好ましい。スロットは、付属品の長手方向に対し４５°の角度で配置されることがさらに好ましい。
【００１６】
本発明の別の態様は、手持型機器のための付属品を提供し、この付属品は、壁部と、壁部の一端における流体入口と、壁部を貫く流体出口とを有する本体を備え、流体出口は、壁部に沿って延びる少なくとも１つのスロットを含み、この少なくとも１つのスロットは、壁部の第１の端部と壁部の第２の端部の重なりによって形成され、スロットは、付属品の長手方向に対し１°〜８９°の角度で配置される。
【００１７】
曲線上のスロットは、流体が流体出口から流出する方向を変化させて、付属品の表面に対して直角に近い流れをもたらす傾向にあり、これによって付属品の周囲における毛髪の保持が改善される。
【００１８】
少なくとも１つのプレートは、材料で裏打ちされることが好ましい。材料は、音及び／又は振動を吸収することが好ましい。材料は、ケブラー又はウールであることが好ましい。
【００１９】
付属品は、流体入口と流体出口の間に流れ方向形成要素をさらに備えることが好ましい。この流れ方向形成要素も、流体が流体出口から流出する方向を変化させ、付属品の表面に対して直角に近い流れをもたらす傾向にあり、これによって付属品の周囲における毛髪の保持が改善される。また、流れ方向形成要素は、付属品内における流体の速度を減速させ、この結果、付属品によって生じる騒音を減少させる。
【００２０】
本発明の別の態様は、手持型機器のための付属品を提供し、この付属品は、壁部と、壁部の一端における流体入口と、壁部を貫く流体出口とを有する本体を備え、流体出口は、壁部に沿って延びる少なくとも１つのスロットを含み、この少なくとも１つのスロットは、壁部の第１の端部と壁部の第２の端部の重なりによって形成され、付属品は、流体入口と流体出口の間に流れ方向形成要素をさらに備える。
【００２１】
流れ方向形成要素は、穿孔層を含むことが好ましい。穿孔層は、細長い材料のメッシュ又は織物で形成されることが好ましい。細長い材料は、ワイヤーであることが好ましい。流れ方向形成要素は、実質的に少なくとも１つのスロットの長さに沿って延びることが好ましい。流れ方向形成要素は、実質的に付属品の内周回りに延びることが好ましい。
【００２２】
第２の態様によれば、本発明は流体入口から流体出口への流体流通路と、流体入口に流体を吸い込むためのファンユニットとを有するハンドルと、このハンドルに接続するための付属品とを備えた手持型機器を提供し、付属品は、壁部と、付属品がハンドルに取り付けられた時にハンドルの流体出口と流体連通する、壁部の一端における流体入口と、壁部を貫く流体出口とを有する本体を備え、流体出口は、壁部に沿って延びる少なくとも１つのスロットを含み、この少なくとも１つのスロットは、壁部の第１の端部と壁部の第２の端部の重なりによって形成される。
【００２３】
本発明の別の態様は、流体入口から流体出口への流体流通路と、流体入口に流体を吸い込むためのファンユニットとを有するハンドルと、このハンドルに接続するための付属品とを備えた手持型機器を提供し、付属品は、壁部と、付属品がハンドルに取り付けられた時にハンドルの流体出口と流体連通する、壁部の一端における流体入口と、壁部を貫く流体出口とを有する本体を備え、流体出口は、壁部に沿って延びる少なくとも１つのスロットを含み、この少なくとも１つのスロットは、壁部の第１の端部と壁部の第２の端部の重なりによって形成され、流体出口から放出された流体は、壁部の外面の周囲を流れる。
【００２４】
本発明の別の態様は、流体入口から流体出口への流体流通路と、流体入口に流体を吸い込むためのファンユニットとを有するハンドルと、このハンドルに接続するための付属品とを備えた手持型機器を提供し、付属品は、壁部と、付属品がハンドルに取り付けられた時にハンドルの流体出口と流体連通する、壁部の一端における流体入口と、壁部を貫く流体出口とを有する本体を備え、流体出口は、壁部に沿って延びる少なくとも１つのスロットを含み、この少なくとも１つのスロットは、壁部の第１の端部と壁部の第２の端部の重なりによって形成され、壁部の第１の端部及び第２の端部の一方は、スロットの厚みを定めるスペーサを含む。
【００２５】
本発明の別の態様は、流体入口から流体出口への流体流通路と、流体入口に流体を吸い込むためのファンユニットとを有するハンドルと、このハンドルに接続するための付属品とを備えた手持型機器を提供し、付属品は、壁部と、付属品がハンドルに取り付けられた時にハンドルの流体出口と流体連通する、壁部の一端における流体入口と、壁部を貫く流体出口とを有する本体を備え、流体出口は、壁部に沿って延びる少なくとも１つのスロットを含み、この少なくとも１つのスロットは、壁部の第１の端部と壁部の第２の端部の重なりによって形成され、スロットは、付属品の長手方向に対し１°〜８９°の角度で配置される。
【００２６】
付属品の本体の直径は、ハンドルの直径と実質的に同じであることが好ましい。
【００２７】
或いは、付属品の本体の直径は、ハンドルの直径と異なる。
【００２８】
付属品の直径は、ハンドルの直径よりも小さいことが好ましい。
【００２９】
或いは、付属品の直径は、ハンドルの直径よりも大きい。
【００３０】
１つの実施形態では、機器がヘアケア機器である。
【００３１】
１つの実施形態では、機器が、高温整髪ブラシなどの高温整髪機器である。
【００３２】
以下、添付図面を参照しながら本発明を一例として説明する。
【図面の簡単な説明】
【００３３】
【図１ａ】本発明による機器の例を示す図である。
【図１ｂ】図１ａに示す機器の断面図である。
【図２ａ】図１の装置のハンドル要素の一部の分解図である。
【図２ｂ】流体入口の拡大断面図である。
【図３ａ】本発明による第１の付属品の等角図である。
【図３ｂ】本発明による第１の付属品の等角断面図である。
【図４ａ】第１の付属品の側面図である。
【図４ｂ】第１の付属品の側断面図である。
【図５ａ】第１の付属品の断面図である。
【図５ｂ】第１の付属品の断面図である。
【図６ａ】第２の付属品の等角図である。
【図６ｂ】第２の付属品の断面図である。
【図７ａ】別の付属品の等角図である。
【図７ｂ】さらなる付属品の等角図である。
【図７ｃ】さらなる付属品の断面図である。
【図８ａ】第５の付属品の等角図である。
【図８ｂ】第６の付属品の等角図である。
【図９ａ】付属品のための２部品アセンブリを示す図である。
【図９ｂ】付属品のための２部品アセンブリを示す図である。
【図１０ａ】本発明によるさらなる付属品の等角図である。
【図１０ｂ】本発明によるさらなる付属品の断面図である。
【図１１ａ】さらなる付属品の側面図である。
【図１１ｂ】さらなる付属品の側断面図である。
【図１１ｃ】さらなる付属品の側断面図である。
【図１２ａ】第１の位置にあるさらなる付属品の断面図である。
【図１２ｂ】第１の位置にあるさらなる付属品の断面図である。
【図１３ａ】第２の位置にあるさらなる付属品の断面図である。
【図１３ｂ】第２の位置にあるさらなる付属品の断面図である。
【図１４】使用中のさらなる付属品を概略的に示す図である。
【図１５ａ】別の付属品の等角図である。
【図１５ｂ】他の付属品の異なる構成部品を示す図である。
【図１５ｃ】異なる構成部品を入口端部から示す図である。
【図１５ｄ】他の付属品の側部断面図である。
【図１５ｅ】他の付属品の断面図である。
【図１６ａ】他の付属品のための別のソックを示す図である。
【図１６ｂ】他の付属品のための別のソックを示す図である。
【発明を実施するための形態】
【００３４】
図１ａ及び図１ｂに、ハンドル２０と、ハンドル２０の遠位端２２において流体入口４０に取り付けられた取り外し可能なヘッド部又は付属品３０とを含む高温整髪ブラシ１０を示す。
【００３５】
ハンドル２０は外壁２６を有し、この外壁２６は一般に管状であるとともに、一方の端部２４に、及び端部２４に隣接して流体入口４０を含む。流体入口４０は、ハンドル２０の周囲にハンドル端部２４からハンドルの外壁２６に沿って半径方向に広がる第１の一連の開口部４４を含む。ハンドル端部２４は端壁４２によって覆われ、この端壁４２にも、ハンドルの端壁４２を貫いて広がる第２の一連の開口部４６が穿孔される。従って、流体入口４０は、ハンドル２０の周囲に、ハンドル２０に沿って、ハンドル２０を横切って広がる。端壁４２は、ハンドルの外壁２６及び内壁６０と直交する。
【００３６】
ハンドル２０は、ファンと、このファンを駆動するとともに、使用時に流体入口４０からハンドル２０の全長を通じて延びる流体流通路５０に沿って流体を引き込むモーターとを有するファンユニット７０も含む。流体は、ヘッド部３０の内部キャビティ３８に入り込む前に任意にヒータ８０によって加熱される。
【００３７】
ヘッド部３０は流体出口１００を含み、この例では、流体出口１００が、各々がヘッド部の第２の端部３６に向かってヘッド部３０の周囲に半径方向に広がる平行スロット１０２を有する。この構成により、流体がヘッド部の全周及びヘッド部３０の長さの大部分にわたってヘッド部から流出し、製品の整髪領域を最大にすることができる。
【００３８】
使用時には、ヘッド部３０の周囲に毛髪が巻き付けられた状態で、スロット１０２から空気又は流体が流出して毛髪を乾かし、及び／又は毛髪をカール状又はウェーブ状に整髪する。毛髪は、ヘッド部３０の表面周囲の空気流によって自動的に巻き付く。空気又は流体は加熱することもできるが、これは必須ではない。
【００３９】
この機器には、好ましくはプラグ又はその他の電源から、ハンドル２０の端壁４２を貫いて延びる動力ケーブル４８を介して電力が供給される。ハンドル２０は、内部配線（図示しない）によってケーブル４８、ファンユニット７０及びヒータ８０と電気的に接続されたＰＣＢ７５も収容する。ユーザーが様々な温度及び流量設定の１つを選択できるようにするオン／オフスイッチ５２及び制御ボタン５４が設けられ、ＰＣＢ７５に接続される。
【００４０】
図２ａは、ハンドル２０の様々な部品をより詳細に示す分解図である。ハンドル２０は管状であり、ハンドル２０の外壁２６は、例えばアルミニウム、アルミニウム合金又は鋼などの金属の押出管又は圧延板から製造された円筒形スリーブである。ハンドルは、第１の端部２２においてヘッド部３０に接続し、遠位側の第２の端部２４には流体入口４０が設けられる。流体入口４０は、流体流通路５０に入り込む流体を濾過する第１の手段である。
【００４１】
流体入口４０は、ハンドル２０の周囲に、ハンドル２０に沿って、ハンドル２０を横切って広がる複数の開口部を含む。３次元に広がる入口を有することは、特に整髪機器と共に使用する際に有利である。第１に、スイッチがオンの状態で機器を表面上に置いた場合、入口表面積のわずかな部分しか塞がれず、又は機器内への流体流が制限されない。これにより、ファンユニットが、特にファンユニットのモーターが作動する際の流量が少なすぎて、モーターが過熱し損傷することが防がれる。
【００４２】
第２に、ヘアケア機器は、ムース、ジェル又はスプレーなどの整髪用品と共に使用されることが多い。これらの製品は、通常は手で、又はミストとして直接毛髪に使用される。手で使用した後には製品の一部が皮膚上に残り、その後に機器を保持した時に機器に移る。これにより、ハンドル２０に沿ってハンドル２０の周囲に広がる開口部４４の少なくとも一部が塞がれる可能性がある。しかしながら、ハンドルの下方でハンドルの端壁４２を横切って広がる開口部４６には影響が及ばない。製品をミストとして使用する場合、これが機器に付着し、やはり流体入口４０の開口部の少なくとも一部が塞がれ又は制限される可能性がある。しかしながら、ハンドル２０の周囲に、ハンドル２０に沿って、ハンドル２０を横切って広がる開口部を有することにより、流体入口４０が塞がれるリスクは減少する。
【００４３】
開口部は、直径が０．２ｍｍ〜１．６ｍｍの円形であることが好ましい。開口部の直径は、ハンドル２０に沿って、ハンドル２０の周囲で、ハンドル２０を横切って変化することができる。これらの開口部は、流体入口４０の周囲で、流体入口４０に沿って、流体入口４０を横切って規則的に離間させることが有利である。このことは視覚的に美しいだけでなく、一部が塞がれる可能性が高く、又はこれによって流体入口４０内への流れに対する影響が強くなると思われる流体入口４０の弱い領域が存在しないという技術的利点も有する。入口は、少なくともハンドル２０の円周回りにおける入口内への流れが均等になるように設計される。
【００４４】
使用時にハンドル２０の第２の端部２４に挿入される発泡体ブロック４８を設ける。発泡体ブロック４８は、主流体入口４０を通過して主流体流通路５０に入り込む流体を濾過する第２の手段である。発泡体ブロック４８は、主流体入口４０を越えて、或いはさらにハンドルの第１の端部２２に向かって延び、これによって主流体入口４０に入り込んだ流体が発泡体ブロック４８を通過し、従って二段階濾過を受けることを確実にすることが有利である。換言すれば、発泡体ブロック４８は、ハンドル２０の第２の端部２４から流体入口の下流端４４ａを越えて延びる。
【００４５】
図示の発泡体ブロック４８は円筒形であり、主流体入口４０におけるハンドル２０内の領域を実質的に満たす。これは、ハンドルの周囲にハンドルに沿って広がる第１の開口部４４を通じて主流体入口に入り込む全ての流体、及びハンドル２０の端壁４２を横切って端壁４２を貫いて広がる第２の開口部４６を通じて入り込む流体が、この第２の濾過段階を通過することを確実にするためである。発泡体ブロック４８は、ハンドル２０の第２の端部２４から、主流体入口４０の第１の開口部４２よりも遠くまで長手方向に延びる。
【００４６】
外壁２６に沿って外壁２６の周囲に広がる第１の開口部４４は、外壁２６が形成された押出管又は金属板から機械加工、打ち抜き加工又はレーザ切断される。
【００４７】
ハンドル２０は外壁２６及び内壁６０を有し、外壁２６を内壁６０上に摺動させて最終製品を形成する。内壁６０は、機器内の流体流通路５０を取り囲んで定める導管である。外壁２６は、把持可能部分を含み、これらの例では流体流通路５０内への流体入口４０を含む。内壁６０内には、絶縁材料層２８が設けられる。この絶縁層は発泡体又はフェルトであり、ファンユニット７０によって生じる騒音、機器の動作によって生じる熱、ファンユニットによって生じる振動、及び流体流通路５０を通る流体流によって機器内に生じる騒音からハンドルを絶縁する。この絶縁層は、空気伝播騒音を含むエネルギーを吸収する。
【００４８】
内壁６０は、内部にファンユニット７０が配置されたハウジング６２を提供する。ハウジング６２は円筒形であり、ハウジング６２の各端部には内向きに突出する桟部６４、６６が１つずつ配置されて、ハンドル２０内におけるファンユニット７０の位置を維持する。内壁６０は、別々に成形された第１の部品６０ａ及び第２の部品６０ｂという２つの部品で形成される。これにより、ハンドル２０内において、一体構造の内壁よりも容易にファンユニット７０を組み立てることができる。同様の一対の内向きに突出する桟部６８、７２が、ハンドル２０内におけるヒータ８０の位置を維持する。
【００４９】
ハンドル２０の外壁２６は金属の押出管又は圧延板から製造されると説明したが、別の製造方法、及び、以下に限定するわけではないが、プラスチックの押出管／成形管、又は炭素繊維で補強したプラスチックなどの複合管を含む別の材料を使用することもできる。
【００５０】
次に、図３ａ、図３ｂ、図４ａ、図４ｂ、図５ａ及び図５ｂを特に参照しながら、ヘッド部３０の流体出口１００についてさらに詳細に説明する。ヘッド部３０は基本的に円筒形であり、ハンドル２０に接続するための第１の端部３２と、第１の端部３２の遠位側にある第２の端部３６とを有する。ヘッド部３０は、ハンドル２０によって説明した線（図１ａ）に連続して第１の端部３２から第２の端部２６に長手方向に延び、従って直径がハンドルとほぼ同一である。ヘッド部３０内には内部キャビティ３８が存在し、ファンユニット７０によってハンドル２０内の流体流通路５０に引き込まれた流体は、ヘッド部３０の第１の端部３２における開口部３０２を介して内部キャビティ３８に入り込む。
【００５１】
流体出口１００は、ヘッド部３０の全長に沿って第１の端部３２から第２の端部３６に延びる複数の平行スロット１０２で形成される。スロット１０２は、隣接するプレート１１０間に形成される重複部１２０（図５ｂ）によって形成され、この結果、第１のプレート１１０ａの外面１１２によって形成される半径方向内側面１０４と、第２のプレート１１０ｂの内面１１４によって形成される半径方向外側面１０６との間に流体が向けられるようになる。スロット１０２から流出する流体１２２は、プレート１１０ａの外面１１２に正接１３０し、流体出口１００の他のスロットから流出する流体に加わって、ヘッド部３０の円周回りに流体流を形成する。従って、流体１２２はヘッド部の外面に沿って吹き出され、これにより毛髪が自動的にヘッド部３０の周囲に巻き付くように促される。
【００５２】
スロット１０２から流出する流体１２２は、コアンダ効果によってヘッド部３０の曲面に引き付けられる。この結果、ヘッド部３０に曝された毛髪が自動的に表面の周囲に巻き付き、これによってカール状に整髪される。毛髪の長さに沿って空気が吹き付けられるので、濡れた毛髪が従来よりも素早く乾き、剛毛を使用せずに巻き付け過程が行われるので、毛髪が乾燥又は整髪された時点でヘッド部３０から外れることができ、従ってもつれることがない。
【００５３】
各スロット１０２のサイズを維持するためにスペーサ１０８が設けられる。この例では、一対のスペーサ１０８を設けて各スロット１０２のサイズを維持している。この一対のスペーサ１０８の各々は、スロット１０２及びプレート１１０に沿って長手方向に離間する。スペーサ１０８は、隣接するプレート１１０同士を結合する。
【００５４】
各プレート１１０は、ケブラー又はウールなどのフェルト状材料３０８（図３ｂ参照）で裏打ちされることが有利である。材料３０８は、各スロット１０２上には広がらず、従って流体出口１００から流出する流体は材料層３０８を通過しない。この層は、流体が開口部３０２におけるヘッド部３０への入口から流体出口１００までヘッド部３０を貫流することによって生じる騒音の一部を吸収する役割を果たす。このような材料層３０８は、ヘッド部１３０、１８０及び２３０などの、本明細書で説明する他のヘッド部にも適用可能である。
【００５５】
図６ａ及び図６ｂに別のヘッド部１３０を示しており、上述した特徴と同じ特徴には全て同じ参照番号を付している。ヘッド部１３０は、ハンドル２０よりも大きな直径を有し、従って大きめのカールを形成するために使用される。ヘッド部１３０は、ハンドル２０に接続するための第１の端部３２を有し、その直径はハンドル２０の直径と同じであり、ヘッド部１３０の頸部１３２内では、スロット１４２によって形成される流体出口１００の手前でヘッド部１３０の直径が増加して大径になり、その後第２の端部１３６まで一定の直径が続く。内部流体キャビティ（図示せず）は、図３ａのヘッド部３０のものよりも大きい。この例では、プレート１１０及びスロット１０２の数は図３に関して説明したヘッド部のものと同じであり、すなわち６つである。或いは、より多い数の又はより少ない数のプレート１１０及びスロット１４２を使用することもできる。
【００５６】
図７ａに、さらなるヘッド部２３０を示す。このヘッド部２３０は、ハンドル２０に比べて小さな直径を有する。第１の端部３２は、ハンドル２０に接続できるようにハンドル２０と実質的に同じ直径を有し、その後頸部２３２内において、ヘッド部２３０の直径は、スロット２０２によって形成される流体出口２００の手前で減少して小径になり、その後第２の端部２３６まで一定の直径が続く。このヘッド部２３０は、小さめのカールを形成するために使用される。
【００５７】
このヘッド部のスロット２０２は、ヘッド部３０、ヘッド部１３０におけるスロット１０２と同様に第１の端部３２から第２の端部２３６まで長手方向に真っ直ぐ延びる。
【００５８】
図７ｂ及び図７ｃに示す別の実施形態では、さらなるヘッド部２８０が、ヘッド部２３０の周囲で曲線を描いてヘッド部２８０の周囲に渦巻き又は螺旋パターンを形成するスロット２８２を有する。スロット２８２は、ハンドル２０及びヘッド部２８０の長手方向軸Ａ−Ａから４５°の角度αだけ曲がる。この実施形態では、スロット２８２が、ヘッド部２８０の第１の端部３４からヘッド部の第２の端部２３６に向かって時計回り方向に曲がる。スロット２８２は、隣接する重複プレート２１０間に上述したように形成されるが、プレート２１０は、曲線状のスロット２８２を形成するために、ヘッド部２８０の長手方向軸に沿って延びるのではなく、やはり４５°の角度だけ曲がる。角度の付いたスロットを用いると、ヘッド部から流出する流体のプロファイルが変化する。角度の付いたスロットを用いると、スロットから流出する空気流がスロットに対して直角に近くなる。これにより、より多くの毛髪がヘッド部の周囲に巻き付くとともに毛髪をより簡単にヘッド部上に保持することができて整髪過程が潜在的に迅速になることを含む利点が得られる。
【００５９】
スロットは、ハンドル２０の長手方向軸Ａ−Ａから時計回り方向に曲がることも、又は反時計回り方向に曲がることもできる。４５°の角度を示したが、たとえ１°の角度であっても改善された巻き付けが見られる。
【００６０】
図８ａに、ハンドル２０と実質的に同じ直径のヘッド部１８０を示す。スロット１８２は、ヘッド部２８０と同様にヘッド部１８０に沿って曲線状又は渦巻き状になっている。
【００６１】
図８ｂには、ハンドルよりも大きな直径を有するヘッド部３８０を示しており、このヘッド部３８０は、ヘッド部３８０に沿って曲線状又は渦巻き状になったスロット３８２を有する点を除き、ヘッド部１３０に類似する。
【００６２】
図９ａ及び図９ｂには、ヘッド部３０の組み立て方法を示す。第１の端部３２からは、頸部１５２と、この頸部１５２に接合又は一体形成された第１の一連のプレート１５４とを有する第１の部品１５０が形成される。第２の端部３６からは、端壁１６２と、この端壁１６２に接合又は一体形成された第２の一連のプレート１６４とを有する第２の部品１６０が形成される。第１の一連のプレート１５４及び第２の一連のプレート１６４の各々は、第１の部品１５０と第２の部品１６０を互いに嵌め込んでヘッド部３０を形成できるようにする非隣接プレート１１０を含む。接続リング１５２における第１の一連のプレート１５４の各々の間には、第２の一連のプレート１６４の端壁１６２から見た遠位端１６４ａを収容するように適合された凹部１５６が設けられる。端壁１６２にも同様の一連の凹部１６６が設けられ、第１の一連のプレートの頸部３２から見た遠位端１５４ａを収容するように適合される。
【００６３】
ヘッド部３０の第１の部品１５０及び第２の部品１６０を組み立てた状態に保持するために、突出ネジ穴１６８が設けられる。第１の一連のプレート１５４の遠位端１５４ａの近くには支持骨格１７０が設けられ、これには２つの機能がある。第１の機能は、第１の一連のプレート１５４を支持して、これらの遠位端１５４ａに向かう相対的位置を維持することであり、第２の機能は、固定機構の一部を提供することである。この例では、支持骨格１７０が、ヘッド部３０ａの組み立て時に突出ネジ穴１６８が通過する中央開口部１７２を有し、これに例えばネジを挿入してヘッド部の２つの部品１５０、１６０を互いに固定することができる。
【００６４】
図１５ａ、図１５ｂ、図１５ｃ、図１５ｄ及び図１５ｅにはヘッド部４００を示しており、上述した特徴と同じ特徴には全て同じ参照番号を付している。このヘッド部４００は、ハンドル２０と比べて小さな直径を有する。スロット１０２は、第１の端部３２から第２の端部２３６まで長手方向に延びるが、これらのスロットは、図７ａ及び図７ｂに関して上述したように曲線とすることもできる。
【００６５】
ヘッド部４００の内部には、ヘッド部４００内に形成されたキャビティ４１８内に内部ソック４２０が設けられる。このソック４２０は、金属ワイヤーで形成されたメッシュである。ソック４２０は、図１５ｂに示す編み形状４２６とすることができる。或いは、ソック４２０は、図１６ａ及び図１６ｂに示すように、一般に正方形の開口部を有する織ったメッシュ４２２で形成された管体４２４である。
【００６６】
ソック４２０は、ヘッド部４００のキャビティ４１８内を流れる流体を拡散し、長手方向の流速を減速させる。これにより、ヘッド部４００から流出する流体の方向がスロット１０２に対して直角に近くなるので、ヘッド部４００の周囲により均一に毛髪が巻き付くようになる。ソック４２０は、ヘッド部４００内でスロット１０２の長さに沿って延びる。メッシュの開口部のサイズは重要であり、小さすぎる場合には流れが過度に制限され、時間と共に開口部が詰まる可能性が増す。約１．６ｍｍのサイズの開口部が、過度の制限を伴わずに利点をもたらすことが分かっている。
【００６７】
図１０ａ、図１０ｂ、図１１ａ〜図１１ｃ及び図１２に、方向性のある流体流を有する別のヘッド部３００の様々な図を示す。ヘッド部３００は、第１の円筒形部品３１０及び第２の三角形部品３３０を有し、これらが共に流体出口３２０を形成する。
【００６８】
第２の三角形部品３３０は、頸部３２８を介してハンドル２０に接続するための第１の端部３１２を有し、第２の端部３１４まで長手方向に延びる。第１の円筒形部品３１０は、第１の端部３７８から、端壁３１６によって定められる第２の端部に延びる開口部３２２を有する。開口部３２２は、第１の縁部３２４及び第２の縁部３２６によって定められる。第２の三角形部品３３０が第１の円筒形部品３１０内に滑り込むと、ヘッド３００内に内部キャビティ３１８が形成される。付属品を形成した時には、第１の円筒形部品３１０の第１の端部２７８が頸部３２８の下流端に当接し、第２の三角形部品３３０の第２の端部３１４が端壁３１６に当接する。
【００６９】
第２の三角形部品３３０は、第１の端部３３２及び第２の端部３３４を有し、第１の側部３３６、第２の側部３３８及び内壁３４０によって形成される。第２の三角形部品３３０は、開口部３２２内に収まり、第１の円筒形部品３１０を越えて外向きに延びる。
【００７０】
第２の三角形部品３３０は、第１の円筒形部品３１０に対して移動可能である。この例では、第２の三角形部品３３０がハンドル２０に対して固定され、第１の円筒形部品３１０が、第２の三角形部分３０及びハンドル２０の両方に対して移動可能である。これにより、第１の縁部３２４及び第２の縁部３２６の一方又は他方によって出口スロット３４２を部分的に定めることができるようになる。
【００７１】
図１２ａ及び図１２ｂを参照して分かるように、１つの位置では、第１の縁部３２４と、第２の三角形部品３３０の第１の側部３３６とが、出口スロット３４２の境界を定める。第２の三角形部品３３０を第１の円筒形部品３１０に対して動かすと、図１３ａ及び図１３ｂに示すように、第２の縁部３２６と第２の側部３３８によって出口スロット３４２が別様に定められる。
【００７２】
出口スロット３４２の位置を変更するには、第１の円筒形部品３１０に対して第２の三角形部品３３０を回転させる。第１の円筒形部品３１０は、戻り止め機構を使用することによって一時的に適所に保持される。
【００７３】
第１の円筒形部品３１０の端壁３１６は、第１の凹部３４０及び第２の凹部３５０を含み、これらの各々は、ボールベアリング３６０を部分的に収容するように適合される。ボールベアリング３６０は、バネ３６２（図１１ｂを参照）によって端壁３１６の方に付勢される。この一方の部品を他方の部品に対して保持する方法の代わりに、プラスチック突起の特徴部又はバネ付き金属片などの数多くの好適な代替案を使用することもできる。
【００７４】
図１２ａ及び図１２ｂを参照して分かるように、第２の三角形部品３３０が第１の円筒形部品３１０に対して第１の位置に存在する時には、第１の側部３３６と第１の縁部３２４によって出口スロット３４２が形成され、ボールベアリング３６０が第１の凹部に収容される。第２の三角形部品３３０を第１の円筒形部品３１０に対して手動で回転させることにより、ボールベアリング３６０を第１の凹部３４０内に保持するバネ３６２の力に打ち勝って第２の三角形部品３３０を第１の円筒形部品３１０に対して回転させることができ、ボールベアリング３６０が第２の凹部３５０内に移動して出口スロット３２８の位置が変更され、従ってこの時点で出口スロット３２８は第２の縁部３２６と第２の側部３３８によって形成されるようになる。
【００７５】
第１の円筒形部品３１０は、この例では開口部３２２の両側に平行列３５２の形で配置された剛毛３５０を含む。剛毛３５０の列３５２は、出口スロット３４２の近くからヘッド部３００の周囲に延びるが、この例では剛毛３５０がヘッド部３００の周囲全体に延びておらず、出口スロット３２０の直径方向反対側の列３５２には間隙が存在する。
【００７６】
図１４を参照して分かるように、毛髪３５４を整髪している時には、毛髪３５４を通じて剛毛３５０を引き下ろす作用により、毛髪３５４に隣接する側の出口スロット３４２が開く。出口スロット３４２の位置は、手動で、或いは毛髪を梳く摩擦又は力によって動かすことができる。
【００７７】
出口スロット３４２から流出する流体は毛髪３５４に沿って吹き付けられるので、方向性のある出口スロット３４２と剛毛３５０との組み合わせを使用するということは、毛髪が従来よりも素早く乾燥及び／又は整髪されることを意味する。出口スロット３４２から流出する流体は、第２の三角形部品３３０の表面に引き付けられ、この結果、毛髪３５４が第２の三角形部品３３０に引き付けられるようになる。剛毛３５０は、毛髪３５４の個々の絡まりを分離してほぐし、この組み合わせによって素早い乾燥と滑らかな仕上がりがもたらされる。
【００７８】
図１４に示すように、このヘッド部は、使用時にはスロット３２８が毛髪３５４に隣接した状態で毛髪内を引き通されるように設計される。毛髪３５４に沿って機器を動かすと、スロット３２８から流体が吹き出し、従って毛髪の加熱とブラッシングの両方が行われる。ヘッド部３５６の両側にスロット３２８を有するということは、同じヘッド部３００をヘッド部の両側に、及び毛髪３５４の下側と上側の両方に使用できることを意味する。
【００７９】
各提示した例では、ヘッド部３０、１３０、１８０、２３０、３００が、頸部及びツイストロックジョイントを介してハンドル２０に接続される。図７ｂを参照して分かるように、頸部２３２の内面には、３つの突起部２３４（１つは図示せず）が設けられている。突起部２３４は、スロット９０（図１ｂを参照）、又はハンドル２０の遠位端２２の近くに設けられた３つの別個のスロットに係合するように適合される。スロット９０は、内壁６０の外面の周囲に少なくとも部分的に延びる螺旋状であり、従ってハンドル２０に対してヘッド部の取り付け又は取り外しを行うには回転の動きと長手方向の動きの両方が必要である。これは固定機構の一例であり、当業者には、他の同等に許容できる代替機構を使用できることが明らかであろう。
【００８０】
図３ａ〜図９に関して説明したヘッド部３０、１３０、１８０及び２３０は、剛毛を有することができる。これらのヘッド部３０、１３０、１８０及び２３０では、スロットがヘッド部の周囲全体に配置されているので、あらゆる剛毛をヘッド部の周囲全体に配置することができる。一例として、１つ置きのプレート１１０、２１０上に少なくとも配置された１又はそれ以上の剛毛の列を有することができる。
【００８１】
高温整髪ブラシに関して本発明を詳細に説明したが、本発明は、流体を引き込んでこの流体の機器からの流出を方向付ける、ヘアドライヤーを含むあらゆる機器に適用することができる。
【００８２】
機器は、ヒータの有無に関わらず使用することができ、流体が高速で流出する動作には乾燥効果がある。
【００８３】
ヘッド部は、ネジを用いて第１の部品を第２の部品に取り付けることによって製造されると説明したが、当業者であれば認識するように、以下に限定するわけではないが、接着又は超音波溶接の使用などの数多くの異なる固定方法を使用することができる。
【００８４】
機器内を流れる流体は一般に空気であるが、異なる気体の組み合わせ又は異なる気体とすることもでき、機器の性能、又は例えば毛髪及びこの毛髪の整髪などの出力が向けられる対象物に機器が与える影響を高めるような添加剤を含むことができる。このような添加剤は、限定するわけではないが、例えばヘアスプレー及び美容液を含む。
【００８５】
ヘッド部３０、１３０、２３０は、全てがほぼ円筒形であるが、当業者であれば認識するように、長円形などの別の形状を用いることもできる。
【００８６】
本発明は、上述した詳細な説明に限定されるものではない。当業者には、変形例が明らかであろう。
【符号の説明】
【００８７】
３０  付属品
３２  第１の端部
３６  第２の端部
１００  流体出口
１０２  スロット
１１０  プレート
【図１ａ】
0005990839.tif 000002
【図１ｂ】
0005990839.tif 000003
【図２ａ】
0005990839.tif 000004
【図２ｂ】
0005990839.tif 000005
【図３ａ】
0005990839.tif 000006
【図３ｂ】
0005990839.tif 000007
【図４ａ】
0005990839.tif 000008
【図４ｂ】
0005990839.tif 000009
【図５ａ】
0005990839.tif 000010
【図５ｂ】
0005990839.tif 000011
【図６ａ】
0005990839.tif 000012
【図６ｂ】
0005990839.tif 000013
【図７ａ】
0005990839.tif 000014
【図７ｂ】
0005990839.tif 000015
【図７ｃ】
0005990839.tif 000016
【図８ａ】
0005990839.tif 000017
【図８ｂ】
0005990839.tif 000018
【図９ａ】
0005990839.tif 000019
【図９ｂ】
0005990839.tif 000020
【図１０ａ】
0005990839.tif 000021
【図１０ｂ】
0005990839.tif 000022
【図１１ａ】
0005990839.tif 000023
【図１１ｂ】
0005990839.tif 000024
【図１１ｃ】
0005990839.tif 000025
【図１２ａ】
0005990839.tif 000026
【図１２ｂ】
0005990839.tif 000027
【図１３ａ】
0005990839.tif 000028
【図１３ｂ】
0005990839.tif 000029
【図１４】
0005990839.tif 000030
【図１５ａ】
0005990839.tif 000031
【図１５ｂ】
0005990839.tif 000032
【図１５ｃ】
0005990839.tif 000033
【図１５ｄ】
0005990839.tif 000034
【図１５ｅ】
0005990839.tif 000035
【図１６ａ】
0005990839.tif 000036
【図１６ｂ】
0005990839.tif 000037